(57)【要約】【課題】ROMの改ざん等の電気的な不正行為に対するセキュリティを保ちつつ、効果音等の音を明確に聞き取ることを可能にすること。【解決手段】遊技機用イヤホン２００は、遊技機本体１００のイヤホン接続口３００に嵌挿される有底円筒部１２を有し、有底円筒部１２の互いに異なる軸方向位置に第１集音口１６及び第２集音口１９が設けられている。また、有底円筒部１２の外周面に、イヤホン接続口３００の内周面に対し係止可能な第１、第２環状凸部１３、１４が設けられる。【選択図】図１
2007275347.tif 000002
【特許請求の範囲】
【請求項１】
遊技機本体のイヤホン接続口に嵌挿される集音部を有し、該集音部の１つの部位、又は互いに異なる複数部位に各々集音口が設けられていることを特徴とする遊技機用イヤホン。
【請求項２】
可撓性を有するチューブの一端に中空状の耳挿入部を設けるとともに、他端に遊技機にあるイヤホン接続口に挿入可能な中空状の集音部を設け、前記チューブ、耳挿入部及び集音部をそれぞれ互いに連通させ、前記イヤホン接続口内に配置されている音源からの発生音を取得する集音口を前記集音部に設けたことを特徴とする遊技機用イヤホン。
【請求項３】
前記集音部の外周面に、前記イヤホン接続口の内周面に対し係止可能な凸部が設けられていることを特徴とする請求項１又は２に記載の遊技機用イヤホン。
【請求項４】
前記凸部に傾斜面が形成されていることを特徴とする請求項３に記載の遊技機用イヤホン。
【請求項５】
音源を有し、イヤホンの集音部が嵌挿可能なイヤホン接続口であって、当該イヤホン接続口の内周面に、前記集音部の外周面を係止可能にする凸部又は凹部が設けられていることを特徴とするイヤホン接続口。
【請求項６】
当該イヤホン接続口は、遊技機本体の前面において発射ハンドルと左右反対側の位置に配設されることを特徴とする請求項５に記載のイヤホン接続口。
【請求項７】
当該イヤホン接続口の前面に、当該イヤホン接続口を開閉する蓋体が設けられていることを特徴とする請求項６に記載のイヤホン接続口。
【請求項８】
前記蓋体は、弾性部材の弾性復帰力によって常時閉状態に保持され、前記弾性復帰力に打ち勝つ外力が加わったとき開状態に変化することを特徴とする請求項７に記載のイヤホン接続口。
【請求項９】
前記蓋体は、前記イヤホンの前記集音部が挿通可能な開口部を有し、該開口部の周面に、前記イヤホンの前記集音部が該開口部を経て当該イヤホン接続口に嵌挿されているとき、前記集音部の外周面の係止溝に進入する係止凸部が設けられることを特徴とする請求項８に記載のイヤホン接続口。
【請求項１０】
前記請求項１〜４のいずれかの請求項に係る遊技機用イヤホンと、前記請求項５〜９のいずれかの請求項に係るイヤホン接続口とを有することを特徴とする遊技機。
【発明の詳細な説明】
【技術分野】
【０００１】
本発明は、パチンコ機等の遊技機に用いられ、遊技者に遊技機の効果音、BGM(バックグラウンドミュージック)、店内放送などによる音響、音楽、音声などを伝達するための遊技機用イヤホン、並びにイヤホン接続口、及び遊技機に関する。
【背景技術】
【０００２】
パチンコ機等の遊技機においては、遊技機の機内に各種遊技状態に応じた様々な効果音を発するための遊技機用スピーカ装置が装備されている。遊技機の外郭をなす外枠内には、遊技機の搭載枠とも称される中枠が設置され、この中枠の前面側にスピーカ装置が配設されている。
【０００３】
ところで、パチンコ店は、複数台のパチンコ機が配置されたホールにスピーカなどにより音声を流すための放送設備を有している。そして、この放送設備を用いて遊技客に各種の情報を伝達するための店内放送を行ったり、BGMを流すことにより店のイメージを演出したりしている。店内放送は大音量で流れるため、パチンコ機から流れる効果音を明確に聞き取ることは難しい。そこで、効果音を聞き取り易くするために、遊技台の枠にヘッドホンの接続プラグを電気的に接続する接続口を設けたものが知られている（例えば、特許文献１参照）。
【特許文献１】特開平８−１５０２５５号公報
【発明の開示】
【発明が解決しようとする課題】
【０００４】
しかし、電気的端子が外部に露出していると、この電気的端子に外部不正機器が接続され、遊技制御基板に実装されているROMの改ざん等の不正行為が行われるおそれがある。
【０００５】
本発明は、上記のような問題点にかんがみなされたものであり、ROMの改ざん等の電気的な不正行為に対するセキュリティを保ちつつ、効果音等の音を明確に聞き取ることを可能にすることを目的とする。
【課題を解決するための手段】
【０００６】
本発明の遊技機用イヤホンは、遊技機本体のイヤホン接続口に嵌挿される集音部を有し、該集音部の１つの部位、又は互いに異なる複数部位に各々集音口が設けられていることを特徴とする。
【０００７】
本発明の遊技機用イヤホンによると、電気的端子を有することなく、イヤホン接続口から流れる効果音等の音を集音口から取り込み遊技者まで伝達できる。このため、ROMの改ざん等の電気的な不正行為に対するセキュリティを保ちつつ、効果音等の音を明確に聞き取ることが可能になる。また、イヤホン接続口に対するイヤホン集音部の位置を調節すると集音口の位置が調節されるため、聞き取る音量を調節することが可能になると共に、イヤホン接続口内の互いに異なる位置から複数種類の音を流す場合、聞き取る音の種類を選択可能になる。
【０００８】
具体的には、本発明の遊技機用イヤホンは、可撓性を有するチューブの一端に中空状の耳挿入部を設けるとともに、他端に遊技機にあるイヤホン接続口に挿入可能な中空状の集音部を設け、前記チューブ、耳挿入部及び集音部をそれぞれ互いに連通させ、前記イヤホン接続口内に配置されている音源からの発生音を取得する集音口を前記集音部に設けたことを特徴とする。
【０００９】
ここで、前記集音部の外周面に、前記イヤホン接続口の内周面に対し係止可能な突部を設けると、イヤホン集音部がイヤホン接続口から非所望に抜け出る不具合を防止できる。また、イヤホン接続口に対するイヤホン集音部の位置決めが容易になる。
【００１０】
また、前記凸部に傾斜面を形成すると、イヤホン接続口に対するイヤホン集音部の挿入及び引き抜きを容易に行うことができる。
【００１１】
本発明のイヤホン接続口は、音源を有し、イヤホンの集音部が嵌挿可能なイヤホン接続口であって、当該イヤホン接続口の内周面に、前記集音部の外周面を係止可能にする凸部又は凹部が設けられていることを特徴とする。
【００１２】
本発明のイヤホン接続口によると、集音部の外周面がイヤホン接続口の内周面に係止され、集音部をイヤホン接続口に係留させることができる。
【００１３】
ここで、当該イヤホン接続口を、遊技機本体の前面において発射ハンドルと左右反対側の位置に配設すると、イヤホン接続口が発射ハンドルの反対側に設けられているため、発射ハンドルを操作しているときに、イヤホン集音部をイヤホン接続口に挿入及び引き抜く操作を同時にかつ容易に行うことが可能となる。また、イヤホンのチューブが遊技者の発射ハンドル操作を邪魔しない。
【００１４】
また、当該イヤホン接続口の前面に、当該イヤホン接続口を開閉する蓋体を設けると、イヤホンを使用しないときに、イヤホン接続口にごみ等の異物が侵入するのを防止できる。
【００１５】
また、前記蓋体が、弾性部材の弾性復帰力によって常時閉状態に保持され、前記弾性復帰力に打ち勝つ外力が加わったとき開状態に変化するよう構成すると、遊技者が簡単な操作を行うことによって蓋体を開放し、イヤホン接続口を開けることができる。
【００１６】
また、前記蓋体は、前記イヤホンの前記集音部が挿通可能な開口部を有し、該開口部の周面に、前記イヤホンの前記集音部が該開口部を経て当該イヤホン接続口に嵌挿されているとき、前記集音部の外周面の係止溝に侵入する係止凸部を設けると、蓋体によって集音部の挿入状態を確実に保持し、集音部の抜けを防止することができる。
【００１７】
本発明の遊技機は、請求項１〜４のいずれかの請求項に係る遊技機用イヤホンと、請求項５〜９のいずれかの請求項に係るイヤホン接続口とを有する。
【発明を実施するための最良の形態】
【００１８】
以下、本発明の実施形態を図面に基づいて説明する。
【００１９】
図１は、本発明の一実施形態に係る遊技機であるパチンコ遊技機の概念構成図、図２は、第１実施形態に係るイヤホンの斜視図、図３は、同イヤホンの縦断面図、図４は、第１実施形態に係るイヤホン接続口の横断面図、図５は、同イヤホン接続口の縦断面図、図６は、蓋体の正面図、図７は、同イヤホンと同イヤホン接続口との第１接続状態を表した横断面図、図８は、同第１接続状態を表した縦断面図、図９は、同イヤホンと同イヤホン接続口との第２接続状態を表した横断面図、図１０は、同第２接続状態を表した縦断面図、図１１は、第２実施形態に係るイヤホンと第２実施形態に係るイヤホン接続口との第１接続状態を表した横断面図、図１２は、同第１接続状態を表した縦断面図、図１３は、同イヤホンと同イヤホン接続口との第２接続状態を表した横断面図、図１４は、同第２接続状態を表した縦断面図をそれぞれ示す。
【００２０】
図１において、パチンコ遊技機本体１００の前面１０１に、イヤホン２００の遊技機側接続部１が嵌挿可能なイヤホン接続口３００が設けられる。イヤホン接続口３００は、発射ハンドル１０２の配設位置とは左右方向において反対側に設けられる。
【００２１】
イヤホン２００は、図２及び図３に示すように、一端にイヤホン接続口３００に嵌挿される遊技機側接続部１を有すると共に、他端に遊技者の耳に挿入される耳挿入部２を有し、遊技機側接続部１と耳挿入部２はチューブ３を介して繋がっている。
【００２２】
図２及び図３において、遊技機側接続部１は、弾性変形が可能な硬質性を有する弾性部材である合成樹脂材又はゴム材で一体成形され、中空角筒部１１と、この中空角筒部１１に連通した集音部としての有底円筒部１２とで構成される。有底円筒部１２の外周面には、軸方向に間隔を置いて複数条（本実施形態では２条）の環状凸部、すなわち第１環状凸部１３と第２環状凸部１４が形成されている。第１、第２環状凸部１３、１４は、各々、２つの環状傾斜面１３aと１３b、１４aと１４bからなる断面鋸歯状の外周面を有している。第１環状凸部１３と第２環状凸部１４との間の周壁部１５には、半径方向に貫通した第１集音口１６が設けられている。また、第１環状凸部１３と底部１７との間の周壁部１８には、第１集音口１６に対して周方向に１８０°反対側の部位に、半径方向に貫通した第２集音口１９が設けられている。第２環状凸部１４と中空角筒部１１との間の周壁部２０の下部には、断面円弧状の第１係止溝２１が設けられている。また、第１環状凸部１３と第２環状凸部１４との間の周壁部１５の下部には、第１係止溝２１と同一形状の断面円弧状の第２係止溝２２が設けられている。
【００２３】
図４及び図５において、イヤホン接続口３００は、イヤホン２００の遊技機側接続部１の有底円筒部１２の外形を一回り大きくしたような円柱状空間３０によって構成され、通常は、イヤホン接続口３００の前面３０１に配される図６に示すような蓋体５０によって閉塞される。イヤホン接続口３００は、イヤホン２００の有底円筒部１２がイヤホン接続口３００に深く挿入されたとき、有底円筒部１２の第１環状凸部１３を収容する第１環状凹部３１を有する。また、イヤホン接続口３００は、有底円筒部１２がイヤホン接続口３００に深く挿入されたとき、有底円筒部１２の第２環状凸部１４を収容する第２環状凹部３２を有する。この第２環状凹部３２は、有底円筒部１２がイヤホン接続口３００に浅く挿入されたときには、有底円筒部１２の第１環状凸部１３を収容する。また、イヤホン接続口３００は、第１音源３３と第２音源３４の２種類の音源を有し、第１音源３３及び第２音源３４は、イヤホン接続口３００の同じ深さ位置において互いに対向するように設けられ、第１音源３３及び第２音源３４の効果音等の音は円柱状空間３０に向かって発せられる。第１音源３３及び第２音源３４からは、互いに異なる種類の音が流れ、例えば、第１音源３３から日本語による音声が流れ、第２音源３４からは韓国語による音声が流れるようにする。
【００２４】
図６において、蓋体５０の上部は、イヤホン２００の有底円筒部１２を挿通可能な丸孔部５１を有する。丸孔部５１の周面下端部には、有底円筒部１２の第１係止溝２１又は第２係止溝２２に進入可能な係止凸部５２が設けられている。蓋体５０の上部は、図５に示すように、遊技機本体１００の前面１０１に設けられたガイドプレート６０によって案内されながら上下方向へ移動可能とされる。蓋体５０の下部は、イヤホン接続口３００を閉塞可能な蓋部５３を有する。蓋体５０の上端部は、上下方向に伸縮自在なスプリング７０の下端部７１に接続され、図５に示すように、スプリング７０の上端部７２は、ガイドプレート６０の上端部６１に接続され、蓋体５０を上方へ引っ張っている。蓋体５０の下端部は、前面に遊技者によって押下操作される操作リブ５４を有する。また、蓋体５０の下端部は、後面に１つ又は複数のガイドピン５５を有し、ガイドピン５５は、図５に示すように、遊技機本体１００の前面１０１に設けられた上下方向に延びたガイド溝１０２に案内されながら上下方向へ移動可能とされる。ガイドピン５５及びガイド溝１０２は、蓋体５０がスプリング７０の引張力によって上端位置にある通常時に、ガイドピン５５がガイド溝１０２の上端面１０２aと当接状態となり、ストッパーとしても機能する。
【００２５】
次に、上記のように構成されるパチンコ遊技機の使用方法について説明する。
【００２６】
遊技者がイヤホン２００を使用していないときには、蓋体５０は、スプリング７０の引張力により上端位置に保たれ、蓋体５０の下部の蓋部５３によってイヤホン接続口３００は閉塞されている。このとき、蓋体５０の下端部のガイドピン５５はガイド溝１０３の上端面１０３aと当接状態にある。
【００２７】
イヤホン２００を使用するにあたっては、遊技者は指で蓋体５０の操作リブ５４を押下げる操作を行い、蓋体５０の上部の丸孔部５１がイヤホン接続口３００と重なる位置まで蓋体５０を下方へ移動させる。そして、イヤホン２００の有底円筒部１２を蓋体５０の丸孔部５１を介してイヤホン接続口３００に挿入する。この挿入操作のとき、第１、第２環状凸部１３、１４の外径がイヤホン接続口３００の内周面の小径部３５（大径の第１、第２環状凹部３１、３２を除いた部位、図５参照）の口径よりも大きいため、有底円筒部１２の少なくとも第１環状凸部１３がイヤホン接続口３００の内周面の小径部３５と干渉するようになるが、有底円筒部１２が弾性変形可能なため、第１環状凸部１３は縮径する弾性変形をしながらイヤホン接続口３００の内部へと進入してゆく。ここで、有底円筒部１２をイヤホン接続口３００に深く挿入する際には、有底円筒部１２の第２環状凸部１４も縮径する弾性変形をしながらイヤホン接続口３００の内部へと進入してゆく。また、この挿入操作のとき、第１、第２環状凸部１３、１４の傾斜面１３a、１４aにより、第１、第２環状凸部１３、１４がイヤホン接続口３００の内部へ挿入し易くなる。
【００２８】
有底円筒部１２をイヤホン接続口３００の内部に深く挿入したときの接続状態である第１接続状態は、図７及び図８に示される。図７及び図８において、有底円筒部１２の第１集音口１６は、イヤホン接続口３００の第１音源３３に対向して位置し、また、第２集音口１９は、イヤホン接続口３００の第１環状凹部３１と第２環状凹部３２との間の内周面つまり小径部３５に対向して位置する。このため、有底円筒部１２は、第１集音口１６を介して第１音源３３からの音を内部に取り込むことができ、第２集音口１９からは第１、第２音源３３、３４からの音を内部に取り込まないため、遊技者は、第１音源３３の音のみを聞き取ることができる。
【００２９】
また、第１接続状態のとき、有底円筒部１２の第１環状凸部１３及び第２環状凸部１４はそれぞれイヤホン接続口３００の第１環状凹部３１及び第２環状凹部３２に収容された状態となる。このため、有底円筒部１２はイヤホン接続口３００から抜けにくい。
【００３０】
また、第１接続状態のとき、遊技者が蓋体５０の操作リブ５４に加えていた押下力を解除すると、スプリング７０の引張力によって蓋体５０が上方へ移動し、蓋体５０の丸孔部５１の係止凸部５２は有底円筒部１２の第１係止溝２１に進入する。このため、有底円筒部１２はイヤホン接続口３００からより一層抜けにくくなり、有底円筒部１２をイヤホン接続口３００内に確実に保持できるようになる。
【００３１】
一方、有底円筒部１２をイヤホン接続口３００の内部に浅く挿入したときの接続状態である第２接続状態は、図９及び図１０に示される。図９及び図１０において、有底円筒部１２の第２集音口１９は、イヤホン接続口３００の第２音源３４に対向して位置し、また、第１集音口１６は、イヤホン接続口３００の第２環状凹部３２よりも開口部側に位置する。このため、有底円筒部１２は、第２集音口１９を介して第２音源３４からの音を内部に取り込むことができ、第１集音口１６からは第１、第２音源３３、３４からの音を内部に取り込まないため、遊技者は、第２音源３４の音のみを聞き取ることができる。
【００３２】
また、第２接続状態のとき、有底円筒部１２の第１環状凸部１３はイヤホン接続口３００の第２環状凹部３２に収容された状態となる。このため、有底円筒部１２はイヤホン接続口３００から抜けにくい。
【００３３】
また、第２接続状態のとき、遊技者が蓋体５０の操作リブ５４に加えていた押下力を解除すると、スプリング７０の引張力によって蓋体５０が上方へ移動し、蓋体５０の丸孔部５１の係止凸部５２は有底円筒部１２の第２係止溝２２に進入する。このため、有底円筒部１２はイヤホン接続口３００からより一層抜けにくくなり、有底円筒部１２をイヤホン接続口３００内に確実に保持できるようになる。
【００３４】
このように、有底円筒部１２をイヤホン接続口３００に深く挿入した第１接続状態のときは、遊技者は第１音源３３からの音のみを聞き取ることができ、一方、有底円筒部１２をイヤホン接続口３００に浅く挿入した第２接続状態のときは、遊技者は第２音源３４からの音のみを聞き取ることができるため、遊技者は、有底円筒部１２をイヤホン接続口３００に挿入する際の深度を選択するという簡単な操作によって、第１音源３３、第２音源３４のいずれか一方を自由に選択して聞き取ることができるようになる。
【００３５】
一方、イヤホン２００の有底円筒部１２をイヤホン接続口３００から抜く作業は、イヤホン２００の遊技機側接続部１の中空角筒部１１を指で挟み、手前に引くと、第１接続状態のときは有底円筒部１の第１環状凸部１３及び第２環状凸部１４が弾性変形して縮径することにより有底円筒部１２をイヤホン接続口３００から引き抜くことができ、また、第２接続状態のときは第１環状凸部１３が弾性変形して縮径することにより有底円筒部１２をイヤホン接続口３００から引き抜くことができる。この引抜操作のとき、第１、第２環状凸部１３、１４の傾斜面１３b、１４bにより、第１、第２環状凸部１３、１４がイヤホン接続口３００の外部へ抜け易くなる。ここで、図３から明らかなように、傾斜面１３a、１４aの傾斜角度は傾斜面１３b、１４bの傾斜角度よりも小さく設定されているため、イヤホン接続口３００に有底円筒部１２を挿入し易くなり、また、傾斜面１３b、１４bの傾斜角度は傾斜面１３a、１４aと比べて大きく設定されているため、イヤホン接続口３００から有底円筒部１２を引き抜きにくくなる。
【００３６】
次に、第２実施形態に係るイヤホン２００とイヤホン接続口３００について、図１１〜図１４に基づいて説明する。
【００３７】
図１１〜図１４において、第２実施形態に係るイヤホン２００は、第１実施形態に係るイヤホン２００と同様な構成を有する。また、第２実施形態に係るイヤホン接続口３００は、図１１及び図１２に示すように、イヤホン２００の有底円筒部１２がイヤホン接続口３００に深く挿入された第１接続状態のとき、第１集音口１６と第２集音口１９の両方と連通する音源４０であって、かつ、図１３及び図１４に示すように、イヤホン２００の有底円筒部１２がイヤホン接続口３００に浅く挿入された第２接続状態のとき、第２集音口１９のみと連通するようになる音源４０を有する点で第１実施形態に係るイヤホン接続口３００と構成が異なっており、その他の構成は、第１実施形態に係るイヤホン接続口３００と同様である。その他、蓋体５０等の構成も第１実施形態と同様である。
【００３８】
この第２実施形態に係るパチンコ遊技機によると、有底円筒部１２をイヤホン接続口３００に深く挿入した第１接続状態のときは、音源４０が通路４１及び通路４２を介して第１集音口１６と第２集音口１９の両方と連通するようになるため、大きな音量の音が有底円筒部１２の内部に取り込まれることとなり、一方、有底円筒部１２をイヤホン接続口３００に浅く挿入した第２接続状態のときは、音源４０が通路４２を介して第２集音口１９のみと連通するようになるため、小さな音量の音が有底円筒部１２の内部に取り込まれることとなる。したがって、遊技者が、有底円筒部１２をイヤホン接続口３００に挿入する際の深度を選択するという簡単な操作によって、聞き取りたい音量を選択できるようになる。
【００３９】
以上説明したように、上記実施形態の遊技機用イヤホン２００は、遊技機本体１００のイヤホン接続口３００に嵌挿される集音部（有底円筒部）１２を有し、有底円筒部１２の互いに異なる複数部位に各々集音口（第１集音口１６及び第２集音口１９）が設けられている。この遊技機用イヤホン２００によると、電気的端子を有することなく、イヤホン接続口３００から流れる効果音等の音を第１、第２集音口１６、１９から取り込み遊技者まで伝達できる。このため、ROMの改ざん等の電気的な不正行為に対するセキュリティを保ちつつ、効果音等の音を明確に聞き取ることが可能になる。また、イヤホン接続口３００に対する有底円筒部１２の位置を調節すると第１、第２集音口１６、１９の位置が調節され、聞き取る音量を調節することが可能になると共に、イヤホン接続口２００内の互いに異なる位置から複数種類の音を流す場合、聞き取る音の種類を選択可能になる。
【００４０】
また、有底円筒部１２の外周面に、イヤホン接続口３００の内周面に対し係止可能な凸部（第１、第２環状凸部１３、１４）を設けたため、有底円筒部１２がイヤホン接続口３００から非所望に抜け出る不具合を防止できる。また、イヤホン接続口３００に対する有底円筒部１２の位置決めが容易になる。
【００４１】
また、第１、第２環状凸部１３、１４に傾斜面１３a、１３b、１４a、１４bを形成したため、イヤホン接続口３００に対する有底円筒部１２の挿入及び引き抜きを容易に行うことができる。
【００４２】
上記実施形態のイヤホン接続口３００は、音源３３、３４、４０を有し、イヤホン２００の有底円筒部１２が嵌挿可能なイヤホン接続口３００であって、遊技機本体１００の前面１０１において発射ハンドル１０２と左右反対側の位置に配設される。このイヤホン接続口３００によると、イヤホン接続口３００が発射ハンドル１０２の反対側に設けられているため、発射ハンドル１０２を操作しているときに、有底円筒部１２をイヤホン接続口３００に挿入及び引き抜く操作を同時にかつ容易に行うことが可能となる。また、イヤホン２００のチューブ３が遊技者の発射ハンドル操作１０２を邪魔しない。
【００４３】
また、イヤホン接続口３００の内周面に、有底円筒部１２の外周面（第１、第２環状凸部１３、１４）を係止可能にする凹部（第１、第２環状凹部３１、３２）を設けたため、有底円筒部１２の第１、第２環状凸部１３、１４がイヤホン接続口３００の第１、第２環状凹部３１、３２に係止され、有底円筒部１２をイヤホン接続口３００に係留させることができる。
【００４４】
また、イヤホン接続口３００の前面３０１に、イヤホン接続口３００を開閉する蓋体５０を設けたため、イヤホン２００を使用しないときに、イヤホン接続口３００にごみ等の異物が侵入するのを防止できる。
【００４５】
また、蓋体５０は、弾性部材（スプリング７０）の弾性復帰力によって常時閉状態に保持され、弾性復帰力に打ち勝つ外力が加わったとき開状態に変化するため、遊技者が簡単な操作を行うことによって蓋体５０を開放しイヤホン接続口３００を開けることができる。
【００４６】
また、蓋体５０は、イヤホン２００の有底円筒部１２が挿通可能な開口部（丸孔部５１）を有し、丸孔部５１の周面に、イヤホン２００の有底円筒部１２が丸孔部５１を経てイヤホン接続口３００に嵌挿されているとき、有底円筒部１２の外周面の係止溝（第１、第２係止溝２１、２２）に侵入する係止凸部５２を設けたため、蓋体５０によって有底円筒部１２の挿入状態を確実に保持し、有底円筒部１２の抜けを防止することができる。
【００４７】
また、蓋体５０の前面に、操作リブ５４を設けたため、遊技者がこの操作リブ５４を操作することによって蓋体５０を容易に開放し、イヤホン接続口３００を開けることができる。
【００４８】
なお、図示はしないが、有底円筒部１２の１つの部位のみに集音口１６又は１９を設けるようにしてもよい。また、上記実施形態では、イヤホン接続口３００の内周面に、集音部１２の外周面を係止可能にする凹部３１、３２を設けた例を示したが、イヤホン接続口３００の内周面に凹部３１、３２の代わりに凸部を設けるとともに集音部１２の外周面に凸部１３、１４の代わりに凹部を設け、上記凸部によって集音部１２の外周面を係止可能にするようにしてもよい。
【図面の簡単な説明】
【００４９】
【図１】本発明の一実施形態に係る遊技機であるパチンコ遊技機の概念構成図である。
【図２】第１実施形態に係るイヤホンの斜視図である。
【図３】同イヤホンの縦断面図である。
【図４】第１実施形態に係るイヤホン接続口の横断面図である。
【図５】同イヤホン接続口の縦断面図である。
【図６】蓋体の正面図である。
【図７】同イヤホンと同イヤホン接続口との第１接続状態を表した横断面図である。
【図８】同第１接続状態を表した縦断面図である。
【図９】同イヤホンと同イヤホン接続口との第２接続状態を表した横断面図である。
【図１０】同第２接続状態を表した縦断面図である。
【図１１】第２実施形態に係るイヤホンと第２実施形態に係るイヤホン接続口との第１接続状態を表した横断面図である。
【図１２】同第１接続状態を表した縦断面図である。
【図１３】同イヤホンと同イヤホン接続口との第２接続状態を表した横断面図である。
【図１４】同第２接続状態を表した縦断面図である。
【符号の説明】
【００５０】
１００    パチンコ遊技機本体（遊技機本体）
１０１    前面
１０２    発射ハンドル
２００    イヤホン
１    遊技機側接続部
１１    中空角筒部
１２    有底円筒部（集音部）
１３    第１環状凸部（凸部）
１３a、１３b    傾斜面
１４    第２環状凸部（凸部）
１４a、１４b    傾斜面
１６    第１集音口（集音口）
１９    第２集音口（集音口）
２１    第１係止溝（係止溝）
２２    第２係止溝（係止溝）
２    耳挿入部
３    チューブ
３００    イヤホン接続口
３１    第１環状凹部（凹部）
３２    第２環状凹部（凹部）
３３    第１音源（音源）
３４    第２音源（音源）
４０    音源
５０    蓋体
５１    丸孔部（開口部）
５２    係止凸部
５４    操作リブ
７０    スプリング（弾性部材）
【図１】
2007275347.tif 000003
【図２】
2007275347.tif 000004
【図３】
2007275347.tif 000005
【図４】
2007275347.tif 000006
【図５】
2007275347.tif 000007
【図６】
2007275347.tif 000008
【図７】
2007275347.tif 000009
【図８】
2007275347.tif 000010
【図９】
2007275347.tif 000011
【図１０】
2007275347.tif 000012
【図１１】
2007275347.tif 000013
【図１２】
2007275347.tif 000014
【図１３】
2007275347.tif 000015
【図１４】
2007275347.tif 000016